(57)【特許請求の範囲】
【請求項１】
航空機のためのマルチモード洗面所であって、
シャワー区域を含み、
前記シャワー区域はフロア、シャワーフロアパン、およびシャワーフロアパンカバーを有し、前記洗面所はさらに、
フロアを含むトイレット区域と、
前記トイレット区域から前記シャワー区域を区分けする二つ折りできるドアとを含み、
前記二つ折りできるドアは閉じた状態で配置され、前記シャワーフロアパンカバーは、前記航空機のための前記マルチモード洗面所がシャワーモードであるとき、前記シャワーフロアパンを露出する上向きの位置で配置され、
前記二つ折りできるドアは開いた位置に配置され、前記シャワーフロアパンカバーは、前記航空機のための前記マルチモード洗面所が身障者用の洗面所モードであるとき、前記シャワーフロアパンを覆う下がった位置に配置され、これにより、前記シャワー区域のフロアを前記トイレット区域のフロアと同一平面に位置決めする、マルチモード洗面所。
【請求項２】
更衣用区域と、
前記シャワー区域および前記更衣用区域を区分けする壁と、
前記壁に隣接した出入口区域とをさらに含み、
前記シャワーおよび前記更衣用区域を区分けする前記壁は、航空機の離着陸の間、前記壁に隣接した前記出入口区域に拡張可能である、請求項１に記載のマルチモード洗面所。
【請求項３】
フィラーパネルとシャワー区域のフロアパンとをさらに含み、前記フィラーパネルは前記壁と前記シャワー区域のフロアパンとの間に配置される、請求項２に記載のマルチモード洗面所。
【請求項４】
ドアと出入口との区域に隣接して配置された洗面所と、
乗客に更衣用区域を提供するために、前記ドアと出入口との区域を閉ざすための可動ドアと、
脱衣した乗客が前記出入口区域を通って洗面所のシャワーモジュールにアクセスするために用いる前記出入口区域に面したさらなるドアとをさらに含む、請求項１に記載のマルチモード洗面所。
【請求項５】
身体障害のある乗客に対応するための洗面所を含み、
前記洗面所は、畳み込み式のシャワーパンとロック可能な二つ折りできるドアとを有し、さらに、
２人の航空機乗客による同時の使用を提供する、請求項１に記載のマルチモード洗面所。
【請求項６】
出入口の更衣用区域と、
前記出入口の更衣用区域に隣接して配置された単一のモジュールによるハウジングに配置されたシンク、トイレットおよびシャワーと、
前記シャワーおよび出入口の更衣用区域から、前記シンクおよびトイレットを区分けするためのロック手段とをさらに含む、請求項１に記載のマルチモード洗面所。
【請求項７】
航空機内での拡張可能な、モジュールによる、マルチモードの洗面所とシャワーとの組合せを動作するための方法であって、
シャワーモードの際に、拡張可能な、モジュールによる、マルチモードの洗面所とシャワーとの組合せを動作させるために、二つ折りできるドアを閉じ、シャワーフロアパンを露出するようシャワーフロアパンカバーを回転して上げるステップと、
身障者用の洗面所モードの際に、拡張可能な、モジュールによる、マルチモードの洗面所とシャワーとの組合せを動作させるために、二つ折りできるドアを開き、シャワーフロアパンを覆うようシャワーフロアパンカバーを回転して下げるステップとを含む、方法。
【発明の詳細な説明】
【０００１】
【発明の背景】
発明の分野
この発明は、航空機のための拡張可能な、モジュールによる、マルチモードの洗面所に関する。
【０００２】
先行技術の説明
先行技術のカテゴリが以下に説明される。
【０００３】
洗面所は航空機の技術では公知である。
米国特許第４，８８４，７６７号、旅客機のための洗面所モジュール。
【０００４】
米国特許第５，１５０，８６３号、旅客機のための洗面所ユニット。
拡張可能な洗面所は航空機の技術では公知である。
【０００５】
米国特許第６，０７９，６６９号、二重旋回転の拡張可能な洗面所。飛行機内等の限られた空間で使用するための二重旋回転の拡張可能な洗面所。洗面所は、飛行機の出入口区域のすぐ近くに位置決めされてもよく、第１および第２の旋回可能なモジュールが備えられている。各々のモジュールは、従来、飛行機の天井とフロアとに取付けられた据付けのアセンブリに旋回できるように装着される。
【０００６】
米国特許第６，００７，０２５号、収納可能なモジュールの飛行機の洗面所。収納可能なモジュール、すなわち、収納コンテナは、実用床面積を占めることなく飛行機内の収納空間を提供する。収納可能なモジュールは、一体化された特徴の側壁の洗面所を含む。収納可能なモジュールは、地上、離陸および着陸操作の間、側壁の洗面所の中に収容される。飛行の間、収納可能なモジュールは客室乗務員によって隣接した出入口区域に展開されるので、洗面所は乗客および乗務員によって利用され得る。
【０００７】
米国特許第４，５８９，４６３号、拡張可能なボリュームの洗面所。拡張可能なボリュームの洗面所は、３つのパネルを２つの蝶番で留めたドアによって囲まれる。洗面所が使用中でないとき、２つの隣接するドアのパネルは、囲んでいる壁または囲いとぴったり重なって嵌合するよう位置決めされてもよい。使用中であるとき、ドアの第３のパネルを再度位置決めすることにより、利用可能な洗面所の空間を増すようドアを再構成する。拡張可能なボリュームの洗面所は、空間が不足している区域、特に航空機等の乗物の機内では特定の有用性を有する。
【０００８】
車椅子での使用が可能なシャワーパンは、当該技術では公知である。
欧州特許番号第１０６４８７５Ａ２号、シャワートレイ配置は、シャワー内での車椅子の入室とサポートとを容易にするための、穴をあけられたシャワーパンインサートである。これについては、本質的にこの構造が穴をあけられた排水口をその間に備えた二重壁のシャワーパンを形成するので、いくらか関連性がある。
【０００９】
欧州特許番号第８７２２０４Ａ３号、身障者用のシャワートレイ配置。身障者のためのシャワートレイ配置であって、ベース、直立した側壁および放水口を有するトレイ、並びにトレイのベースの上に、トレイの直立した側壁の上側端縁と実質的に同一平面に、少なくともその長さの一部にわたって支持される面を含み、この面が穴をあけられていること、およびトレイのベースの上で下向きに延在する複数の突出部によって、ベースを係合するために穴をあけられた面の裏面から支持されることを特徴とする。
【００１０】
米国特許第５，７１８，００８号、シャワーベース。フロア上に取付けられた一片であって、プレート（１,１０１）によって構成され、その頂部側はプレートが上に取付けられたフロア（９）と同じ高さにセットされる。プレートの周囲の少なくとも一部に沿って、上部で開き、プレートの頂部側より高く上がらないヘッダ（４,１０２）がある。ヘッダの下部は、プレートの前記頂部側のそれより低い高さに位置する。ヘッダは、これも前記頂部側のそれに対してより低い高さに位置する排水口（７,１０４）へつながる。ヘッダ（４,２０１）はシャワーベースからの取水のための上部開口部（５,１０３）を提供し、前記開口部はしたがって、ヘッダより狭いことを特徴とする。これにより、高齢者、身障者、および車椅子に乗った人々のアクセスを容易にする。
【００１１】
米国特許第５，２４３，７１６号、バリアフリーの排水装置。バリアフリーの排水装置は、プラットホームの前部端縁に隣接して位置決めされた溝を含む。この溝は、プラットホームの前部端縁の下に位置決めされた下部壁、および排水管と流体の流れが通じる少なくとも１つの放水口の開口部を有する。格子は、溝の内側に位置決めされ、そこを通る複数のアパチャを備えた上方の、一般的に水平な位置を有する。上方の部分は、各々の前記部分が実質的に同じであるように支持され、格子は、そこを通る複数のアパチャを備えた上方の、一般的に水平な部分を有し、前記格子はまた、前記上方の部分が一般的に水平な位置で溝の下部壁から空間を空けるように、また前記上方の部分の上部面がシャワーフロアの前部端縁と実質的に同じ高さであるように上方の部分を支持するための手段を有する。
【００１２】
【特許文献１】
米国特許第４，８８４，７６７号明細書
【００１３】
【特許文献２】
米国特許第５，１５０，８６３号明細書
【００１４】
【特許文献３】
米国特許第６，０７９，６６９号明細書
【００１５】
【特許文献４】
米国特許第６，００７，０２５号明細書
【００１６】
【特許文献５】
米国特許第４，５８９，４６３号明細書
【００１７】
【特許文献６】
欧州特許番号第１０６４８７５Ａ２号明細書
【００１８】
【特許文献７】
欧州特許番号第８７２２０４Ａ３号明細書
【００１９】
【特許文献８】
米国特許第５，７１８，００８号明細書
【００２０】
【特許文献９】
米国特許第５，２４３，７１６号明細書
【００２１】
【発明の概要】
洗面所、シャワー、および身障者のための設備として用いられる、航空機のための拡張可能なマルチモードの洗面所。
【００２２】
［詳細な説明］
コンセプト１
このコンセプトでは（図１および２を参照）、通常の４１”奥行（ｄ）×５６”幅（ｗ）のＤＯＴ（Department of Transportation（運輸省））の洗面所は、ドアと出入口との区域の隣に位置し、折り畳み式のまたはスライディング壁ドア１２（図９（Ａ）および（Ｂ）を参照）が、スライディング壁ドアの機能によりその区域を閉ざして、更衣用区域として用いることのできる区域を作る。出入口区域に面したドア１が追加され、脱衣した乗客が出入口区域を通って洗面所／シャワーモジュールにアクセスするためにこれを用いることができる。
【００２３】
このコンセプトでは、シャワー区域２は、更衣用区域３のすぐそばに位置し、ロックされる二つ折りできるドア４でシャワー区域２をトイレット区域５から区分けする（そのフロアはシャワー区域よりも数インチ低い）。このモジュールがシャワーモードであるとき、二つ折りできるドア４は回転して閉じ、シャワーフロアパンカバー６は回転して上がりシャワーフロアパン７を露出する。このモジュールが身障者用の洗面所モードであるとき、二つ折りできるドア４は、回転して開き大きく空いた区域を作り、シャワーフロアパンカバー６は回転して下がりシャワーフロアパン７を覆い、シャワーフロア区域をトイレット区域のフロアと同一平面にするので、車椅子はフロア全体を進むことができる。
【００２４】
別の類似のコンセプトでは（図３および４を参照）、トイレット区域５は更衣用区域３のすぐそばに位置し、二つ折りできるドア４でシャワー区域２からトイレット区域５を区分けする。このモジュールがシャワーモードであるとき、二つ折りできるドア４は回転して閉じ、シャワーフロアパンカバー６は回転して上がり、シャワーフロアパン７を露出する。このモジュールが身障者用の洗面所モードであるとき、二つ折りできるドア４は回転して開き大きく空いた区域を作り、シャワーフロアパンカバー６は回転して下がりシャワーフロアパン７を覆い、シャワーフロア区域をトイレット区域のフロアと同一平面にするので、車椅子はフロア全体を進むことができる。
【００２５】
上述のコンセプトはともに、シャワーフロアパンカバー６を用いてシャワーパン７を覆う。このシャワーフロアパンカバー６は２つの目的の役に立つ。１）車椅子がアクセスできるよう２つの区画の間のフロアを同じ高さにする。２）乗客が更衣の後、髭剃り、化粧などのために、シンクおよび／またはトイレットにアクセスするために歩いて戻ることができる乾いた表面を提供する。２つのコンセプトの間の主たる違いはシンクの位置である。
【００２６】
これらの２つのコンセプトは、身体障害のある乗客に対応するために柔軟性を備えた大きな洗面所／シャワー区域を提供するが、これらは、１人の乗客がモジュールのシャワー部分を利用している間、別の乗客が洗面所を利用することができないので、「乗客対洗面所の比率」の低下を引起こす。これにより、別の洗面所が上記構成に追加され、エコノミークラスの４つの座席を失い得る可能性が生じる。
【００２７】
コンセプト２
このコンセプトに従って（図５および６を参照）、さらに通常の４１”（ｗ）×５６”幅（ｗ）のＤＯＴの洗面所がドアと出入口との区域の隣に位置し、そこで折り畳み式のまたはスライディング壁／ドア１２（スライディング壁／ドアの機能については図９を参照）がその区域を閉ざして、更衣用区域として用いることのできる区域を作る。出入口区域に面したドア１が追加され、脱衣した乗客が出入口区域を通って洗面所／シャワーモジュールにアクセスするためにこれを用いることができる。
【００２８】
（図３〜６に示されるように）第２のコンセプトでは、シャワー区域２はトイレット５と更衣用区域３との両方と同じ高さのフロアを有し、更衣用区域３のすぐそばに位置し、ロックされ得るロック可能な二つ折りできるドア４でトイレット区域５からシャワー区域２を区分けする。この実施例に従ったモジュールがシャワーモードであるとき、二つ折りできるドア４は回転して閉じてロックされ、シャワーフロアパン６は回転してフロアまで下りる。このモジュールが「身障者用の洗面所モード」であるとき、二つ折りできるドア４は回転して開き、シャワーフロアパン６は回転して上がり大きく空いた水平な区域を作るので、車椅子はフロア全体を進むことができる。
【００２９】
２人の別々の人々が同時に２つの空間を占めることができるよう、シャワー区域２とトイレット区域５との両方に十分な場所を設けるために、二つ折りできるドア４は、トイレット区域５に適切な場所を与えるような方法で、２つの空間を区分けするよう配置される。これにより、（コンセプト１の２８”幅のシャワー区域（ｆ）に比べて）シャワー区域２のための場所が（ｅ）で約１９”幅にまで低減される。シャワー内では表面を占める量が最も少ないのが足部の区域であるので、シャワー区域を補うために追加される必要のある大半の区域は、およそ膝上以上である。シャワー区域２は離着陸の間利用されないので、シャワー区域２と更衣用区域３とを区分けする壁９は、その隣接する出入口区域に拡張可能なものとされ得る。さらにフィラーパネル８は適切に回転し、拡張壁９とフロアパン６との間の隙間を満たし得る。拡張壁９は、シャワー区域２のための十分な場所を提供するために（ｋ）またはおよそ９”拡張するだけでよいが、さらにドアバッスルにまで拡張され得る。
【００３０】
拡張壁９、回転するフィラーパネル８および回転するシャワーフロアパン６は、このコンセプトを働かせる重要な要素である。
【００３１】
コンセプト３
このコンセプトでは（図７および８を参照）、さらに４１”奥行×５６”幅のＤＯＴの洗面所がドアと出入口との区域の隣に位置し、折り畳み式のまたはスライディング壁／ドア１２（スライディング壁／ドアの機能に関して、離陸前については図９の（Ａ）を、離陸後については図９の（Ｂ）を参照）は、その区域を閉ざして、更衣用区域として用いることができる区域を作る。出入口区域に面したドア１が追加され、脱衣した乗客が出入口区域を通って洗面所／シャワーモジュールにアクセスするためにこれを用いることができる。
【００３２】
コンセプト３では、シャワー区域２は、更衣用区域３のすぐそばに位置し、ロックされ得るロックする二つ折りできるドア４でトイレット区域５からシャワー区域２が区分けされている。このモジュールが「シャワーモード」であるとき、二つ折りできるドア４は回転して閉じてロックされ、シャワーフロアパン６は回転してフロアまで下りる。モジュールが「身障者用の洗面所モード」であるとき、二つ折りできるドア４は回転して開き、シャワーフロアパン６は回転して上がり、大きく空いた水平な区域を作るので、車椅子はフロア全体を進むことができる。
【００３３】
２人の別々の人々が同時に２つの空間を占めることができるように、シャワー区域２とトイレット区域５との両方に十分な場所を設けるために、ロック可能な二つ折りできるドア４は、トイレットにさらに多くの場所を与えるような方法で、２つの空間を区分けするよう配置される。これにより、シャワー区域２のための全体の場所が約１９”幅に減る。シャワー内では表面積を占める量が最も少ないのが足部であるので、シャワー区域の失われた空間を補うために追加される必要のある大半の区域は、膝上以上の空間を占めることとなる。シャワー区域２は離着陸の間使用されないので、シャワー区域２と更衣用区域３とを区分けする壁１０は、上部から出入口区域にまで回転するようにされて、さらに肩部の場所を提供する。このコンセプトはフロアにいかなる隙間も生じず、また水がフロアパン６に適切に排出されることを可能とするだろう。
【００３４】
以上に説明されたコンセプトおよび例示的な実施例は、洗面所とシャワーとの両方の適用のために有用な空間を作り、区分けしている二つ折りできるドア４を開くかまたは閉じることにより、個別でのまたは両方でのいずれにおいてもそれらを使用することを可能にする。説明され例示された航空機のための拡張可能な、モジュールによる、マルチモードの洗面所は、身体障害のある乗客に対応するための柔軟性を有する、（シャワーパン１１を畳み込むこと、ロック可能な二つ折りできるドア４を開くこと、および十分なプライバシーを保ちつつ、２人の個々人が同時にシャワーと洗面所とを使用することを提供することによる）十分な機能の洗面所である。新しいシャワー設備は、ＤＯＴの洗面所の特徴を維持しつつも、余分の洗面所を必要とせずしたがって座席が失われることもなく、設けられる。
【図面の簡単な説明】
【図１】  二つ折りできるシャワードアと、濡れたシャワーフロアパンを覆うための折り畳み式のフロアパネルとを備えたこの発明のＤＯＴの洗面所とシャワーとの組合せの実施例（コンセプト１）の間取り図の上面図である。
【図２】  図１の実施例の内部を示す断面図である。
【図３】  二つ折りできるシャワードアと、濡れたシャワーフロアパンを覆うための折り畳み式のフロアパネルとを備えた、この発明のＤＯＴの洗面所とシャワーとの組合せのさらなる実施例（コンセプト２）の間取り図の上面図である。
【図４】  図３の実施例の内部を示す断面図である。
【図５】  図３（コンセプト２）の実施例に従った間取り図の上面図であるが、ロック可能な二つ折りできるシャワードアと、濡れたフロアを取除くための畳み込み式のシャワーフロアパンとを備えた、拡張可能なＤＯＴの洗面所とシャワーとの組合せを示す図である。
【図６】  図５の実施例の内部を示す断面図である。
【図７】  ロック可能な二つ折りできるシャワードアと濡れたフロアを取除くための畳み込み式のシャワーフロアパンとを備えた、ＤＯＴの洗面所とシャワーとの組合せを拡張するためのドアを備えた回転式の壁を示す、この発明のさらに他の実施例（コンセプト３）の間取り図の上面図である。
【図８】  図７の実施例の内部を示す断面図である。
【図９】  （Ａ）は、離陸前にスライディング壁ドアが開けられているのを示す、この発明のＤＯＴの洗面所とシャワーとの組合せの斜視図であり、（Ｂ）は、離陸後のこの発明のＤＯＴの洗面所とシャワーとの組合せの斜視図である。
【符号の説明】
１  ドア、２  シャワー区域、３  更衣用区域、４  二つ折りできるドア、５トイレット区域、６  シャワーフロアパンカバー、７  シャワーフロアパン、９  拡張壁、８  フィラーパネル、１０  壁、１１  シャワーパン、１２  スライディング壁ドア。
【図１】
0004282338.tif 000002
【図２】
0004282338.tif 000003
【図３】
0004282338.tif 000004
【図４】
0004282338.tif 000005
【図５】
0004282338.tif 000006
【図６】
0004282338.tif 000007
【図７】
0004282338.tif 000008
【図８】
0004282338.tif 000009
【図９】
0004282338.tif 000010